(57)【特許請求の範囲】
【請求項１】
基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の後面に対峙し且つ上方に向かって構造部本体の後方側へ傾斜する縦溝面取り部を、各縦溝の上端寄り部分に形成し、標記部材の上端寄り部分を縦溝に挿入した際に標記部材の上下移動を許容して上側凹陥部へ嵌入し得る上側突起部を、各標記部材の上端部に設け、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けたことを特徴とする標記用構造物。
【請求項２】
基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の上端寄り部分を縦溝に挿入した際に標記部材の上下移動を許容して上側凹陥部へ嵌入し得る上側突起部を、各標記部材の上端部に設け、縦溝に対峙し且つ上方に向かって標記部材の前方側へ傾斜する部材面取り部を、各標記部材の後面上端寄り部分に形成し、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けたことを特徴とする標記用構造物。
【請求項３】
基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の後面に対峙し且つ上方に向かって構造部本体の後方側へ傾斜する縦溝面取り部を、各縦溝の上端寄り部分に形成し、標記部材の上端寄り部分を縦溝に挿入した際に標記部材の上下移動を許容して上側凹陥部へ嵌入し得る上側突起部を、各標記部材の上端部に設け、縦溝面取り部に対峙し且つ上方に向かって標記部材の前方側へ傾斜する部材面取り部を、各標記部材の後面上端寄り部分に形成し、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けたことを特徴とする標記用構造物。
【請求項４】
上側凹陥部に対する上側突起部の嵌合部分、下側凹陥部に対する下側突起部の嵌合部分、及び標記部材後面に、柔軟性を有する保護層を設けた請求項１乃至請求項３のいずれかに記載の標記用構造物。
【請求項５】
下側凹陥部から外方へ連なる水抜き孔を台座に穿設した請求項１乃至請求項３のいずれかに記載の標記用構造物。
【請求項６】
笠部材の下部と標記部材の上端部との間に、弾力性を有する挿入部材を介在させた請求項１乃至請求項３のいずれかに記載の標記用構造物。
【請求項７】
笠部材に上下方向へ貫通する長尺物挿通孔を穿設し、台座あるいは構造物本体に、長尺物挿通孔の下方に位置するように長尺物受け部材を設けた請求項１乃至請求項３のいずれかに記載の標記用構造物。
【発明の詳細な説明】
【０００１】
【発明の属する技術分野】
本発明は墓誌、道標などに用いる標記用構造物に関するものである。
【０００２】
【従来の技術】
図７及び図８は従来の墓誌（標記用構造物）の一例を示すもので、この墓誌は、鉄筋コンクリート構造の基礎上に設置される台座１と、前面に戒名（法名）が彫り込まれる構造物本体２とを備えており、構造物本体２の下端部は、台座１に設けられた上方へ開口する略矩形断面形状の凹陥部３に嵌入固着されている。
【０００３】
上記の台座１及び構造物本体２の素材には、花崗岩などの硬質で堅牢な石材が用いられている。
【０００４】
このような墓誌を建立した後に、不幸にして構造物本体２に戒名を加えることになったときには、台座１及び構造物本体２を一体的に石材工場へ搬送したうえ、構造物本体２に文字を彫り込む字彫加工を行うか、あるいは、字彫技術者が墓誌が設置されている墓所へ出向いて、構造物本体２への字彫加工を行っている。
【０００５】
【発明が解決しようとする課題】
しかしながら、図７及び図８に示すような墓誌を石材工場に搬送するのにあたっては、クレーンなどの揚重手段及びトラックなどの搬送手段が必要となり、墓誌の近傍まで揚重手段及び搬送手段が接近できない場合や、墓誌の至近に塔婆立や燈篭などの他の構造物が存在する場合には、墓所に対する墓誌の搬出入を人力に依存しなければならない。
【０００６】
また、墓誌が設置されている墓所が、石材工場の所在地や字彫技術者の勤務地から遠く離れている場合には、墓誌の搬送費、並びに字彫技術者の出張費が高額になる。
【０００７】
本発明は上述した実情に鑑みてなしたもので、大掛かりな搬送作業や字彫技術者の出張を伴わずに字彫加工が行える標記用構造物を提供することを目的としている。
【０００８】
【課題を解決するための手段】
上記目的を達成するため、本発明の請求項１に記載の標記用構造物では、基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の後面に対峙し且つ上方に向かって構造部本体の後方側へ傾斜する縦溝面取り部を、各縦溝の上端寄り部分に形成し、標記部材の上端寄り部分を縦溝に挿入した際に標記部材の上下移動を許容して上側凹陥部へ嵌入し得る上側突起部を、各標記部材の上端部に設け、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けている。
【０００９】
また、本発明の請求項２に記載の標記用構造物では、基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の上端寄り部分を縦溝に挿入した際に標記部材の上下移動を許容して上側凹陥部へ嵌入し得る上側突起部を、各標記部材の上端部に設け、縦溝に対峙し且つ上方に向かって標記部材の前方側へ傾斜する部材面取り部を、各標記部材の後面上端寄り部分に形成し、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けている。
【００１０】
更に、本発明の請求項３に記載の標記用構造物では、基礎上に設置される台座と、該台座の上部に固着され且つ上下に延びる複数条の縦溝を有する構造物本体と、該構造物本体の上部に固着された笠部材と、前面に字彫加工が施され且つ前記の縦溝にそれぞれ挿入される標記部材とを備え、縦溝に連なって上方へ窪む上側凹陥部を、前記の笠部材の下部に形成し、標記部材の後面に対峙し且つ上方に向かって構造部本体の後方側へ傾斜する縦溝面取り部を、各縦溝の上端寄り部分に形成し、標記部材の上端寄り部分を縦溝に挿入した際に標記部材の上下移動を許容して上側凹陥部へ嵌入し得る上側突起部を、各標記部材の上端部に設け、縦溝面取り部に対峙し且つ上方に向かって標記部材の前方側へ傾斜する部材面取り部を、各標記部材の後面上端寄り部分に形成し、縦溝に連なって下方へ窪む下側凹陥部を、前記の台座の上部に形成し、上側突起部を上側凹陥部に嵌入し且つ標記部材の下端寄り部分を縦溝に挿入した際に下側凹陥部に嵌入し得る下側突起部を、各標記部材の下端部に設けている。
【００１１】
本発明の請求項４に記載の標記用構造物では、本発明の請求項１乃至請求項３のいずれかに記載の標記用構造物の構成に加えて、上側凹陥部に対する上側突起部の嵌合部分、下側凹陥部に対する下側突起部の嵌合部分、及び標記部材後面に、柔軟性を有する保護層を設けている。
【００１２】
本発明の請求項５に記載の標記用構造物では、本発明の請求項１乃至請求項３のいずれかに記載の標記用構造物の構成に加えて、下側凹陥部から外方へ連なる水抜き孔を台座に穿設している。
【００１３】
本発明の請求項６に記載の標記用構造物では、本発明の請求項１乃至請求項３のいずれかに記載の標記用構造物の構成に加えて、笠部材の下部と標記部材の上端部との間に、弾力性を有する挿入部材を介在させている。
【００１４】
本発明の請求項７に記載の標記用構造物では、本発明の請求項１乃至請求項３のいずれかに記載の標記用構造物の構成に加えて、笠部材に上下方向へ貫通する長尺物挿通孔を穿設し、台座あるいは構造物本体に、長尺物挿通孔の下方に位置するように長尺物受け部材を設けている。
【００１５】
本発明の請求項１乃至請求項７に記載の標記用構造物のいずれにおいても、標記部材の上側突起部を笠部材の上側凹陥部に嵌入し、また、標記部材の下側突起部を台座の下側凹陥部に嵌入することにより、構造物本体の縦溝に挿入される標記部材を笠部材及び台座に係止し、構造物本体から標記部材を取り外せるようにする。
【００１６】
本発明の請求項１に記載の標記用構造物では、構造物本体の縦溝に形成した縦溝面取り部によって、標記部材の着脱を行う際の、縦溝と標記部材の後面との干渉を抑止する。
【００１７】
本発明の請求項２に記載の標記用構造物では、標記部材の後面に形成した部材面取り部によって、標記用部材の着脱を行う際の、縦溝と標記部材の後面との干渉を抑止する。
【００１８】
本発明の請求項３に記載の標記用構造物では、構造物本体の縦溝に形成した縦溝面取り部と、標記部材の後面に形成した部材面取り部との双方によって、標記部材の着脱を行う際の、縦溝と標記部材の後面との干渉を抑止する。
【００１９】
本発明の請求項４に記載の標記用構造物においては、上側凹陥部に対する上側突起部の嵌合部分、下側凹陥部に対する下側突起部の嵌合部分、及び標記部材の後面に設けた保護層によって、他の構造物などとの接触に起因した標記部材の損傷を抑止する。
【００２０】
本発明の請求項５に記載の標記用構造物においては、下側凹陥部に侵入する塵埃を、水抜き孔によって雨水などとともに台座の外方へ流出させ、下側凹陥没部内での塵埃の堆積を防止する。
【００２１】
本発明の請求項６に記載の標記用構造物においては、笠部材と標記部材との間に挿入部材を介在させて、悪戯による標記部材の取り外し行為を防止する。
【００２２】
本発明の請求項７に記載の標記用構造物においては、笠部材の長尺物挿通孔に挿通される長尺物の下端部を、長尺物受け部材によって支持し、長尺物の転倒を防止する。
【００２３】
【発明の実施の形態】
以下、本発明の実施の形態を図面に基づいて説明する。
【００２４】
図１から図６は本発明の標記用構造物の実施の形態の一例であり、この標記用構造物は、鉄筋コンクリート構造の基礎上に設置される台座４と、該台座４の上部に固着された構造物本体５及び左右一対の柱部材６と、該柱部材６及び構造物本体５の上部に固着された笠部材７と、該笠部材７及び台座４に係止され且つ前面に文字が彫り込まれる標記部材８と、長尺体受け部材２７とを備えている。
【００２５】
上記の台座４、構造物本体５、柱部材６、笠部材７、標記部材８、長尺体受け部材２７の素材には、花崗岩などの硬質で堅牢な石材が用いられている。
【００２６】
台座４の下部には、台座４の下部中央と基礎上面との間に空隙が形成されるように、座ぐり部９が設けられている。
【００２７】
台座４の上部には、上方へ開口する略矩形断面形状の凹陥部１０が設けられ、また、台座４内には、凹陥部１０の底部から座ぐり部９へ貫通する水抜き孔１１が穿設されている。
【００２８】
構造物本体５の前面には、上下に延びる略矩形断面の複数条の縦溝１２を有しており、それぞれの縦溝１２の上端寄り部分には、上方へ向かって構造物本体５の後方側へ傾斜する縦溝面取り部１３が形成されている。
【００２９】
この構造物本体５の下端部は、台座４の凹陥部１０に嵌入固着されており、縦溝１２の前方には、下側凹陥部１４が形成されることになる。
【００３０】
また、構造物本体５の非縦溝部分の下端には、左右方向に貫通して隣接する縦溝１２を連通する切り欠き部１５が設けられており、該切り欠き部１５を介して下側凹陥部１４から前記の水抜き孔１１へ雨水などが流出し得るようになっている。
【００３１】
柱部材６の下端には、下方へ突出する下側突起部１６が設けられ、柱部材６の上端には、上方へ突出する上側突起部１７が設けられている。
【００３２】
この柱部材６は、構造物本体５の左右両側に位置するように、下側突起部１６が前記の凹陥部１０の左右端に嵌入固着されている。
【００３３】
笠部材７の下部には、下方へ開口する略矩形断面形状の凹陥部１８が設けられている。
【００３４】
前記の構造物本体５の上端部及び柱部材６の上側突起部１７は、笠部材７の凹陥部１８に嵌入固着されており、縦溝１２の前方には、上側凹陥部１９が形成されることになる。
【００３５】
また、笠部材７の後側部分には、上下に貫通する長尺物挿通孔２０が構造物本体５の後側に位置するように穿設されている。
【００３６】
標記部材８は、構造物本体５の縦溝１２に挿入され得るように、該縦溝１２に応じた略矩形断面形状を有している。
【００３７】
標記部材８の上端部の後面寄り部分には、上方へ突出する上側突起部２１が、一体的に且つ先に述べた上側凹陥部１９に嵌入し得るように設けられている。
【００３８】
この上側突起部２１の上方への突出長さは、上側凹陥部１９の上下方向の内法によりも短く設定されている。
【００３９】
標記部材８の下端部の後面寄り部分には、下方へ突出する下側突起部２２が、一体的に且つ上側突起部２１が上側凹陥部１９に嵌入した際に先に述べた下側凹陥部１４に嵌入し得るように設けられている。
【００４０】
この下側突起部２２の下方への突出長さは、上側凹陥部１９の上下方向の内法と上側突起部２１の突出長さとの差よりも短く設定されており、下側凹陥部１４に対する下側突起部２２の嵌入及びその解除を行う際に、下側突起部２２が台座４の上面に干渉しないように、構造物本体５に対して標記部材８を全体的に上方へ押し上げることができるようになっている。
【００４１】
標記部材８の後面上端寄り部分には、先に述べた縦溝面取り部１３に対峙し且つ上方へ向かって標記部材８の前方側へ傾斜する上側部材面取り部２３が形成され、標記部材８の後面下端寄り部分には、下方へ向かって標記部材８の前方側へ傾斜する下側部材面取り部２４が形成されており、各面取り部１３，２３，２４によって、構造物本体５に対する標記部材８の着脱を行う際に、縦溝１２と標記部材８の後面との干渉が抑止されるようになっている。
【００４２】
上側凹陥部１９に対する上側突起部２１の嵌合部分、下側凹陥部１４に対する下側突起部２２の嵌合部分、及び標記部材８の後面には、所定の厚さ及び柔軟性を具備した粘着テープが保護層２５として貼付され、該保護層２５によって、他の構造物などとの接触に起因した標記部材８の損傷が抑止されるようになっている。
【００４３】
また、粘着テープに替えて、固化後でも柔軟な性状を呈するウレタン樹脂などを標記部材８に吹きつけて、保護層２５とすることもできる。
【００４４】
笠部材７の下部と標記部材８の上端部との間には、ウレタン樹脂などで形成された弾力性を有する挿入部材２６が介在させてあり、悪戯によって標記部材８を構造物本体５から簡単に取り外すことができないようにしている。
【００４５】
長尺体受け部材２７は、構造物本体５の後側に位置するように、台座４の上部に固着されている。
【００４６】
この長尺物受け部材２７は、笠部材７の上方から長尺物挿通孔２０に挿通された長尺物の下端が台座４上から脱落しないように、長尺物の下端を囲む形状に形成されている。
【００４７】
更に、長尺物受け部材２７の下部には、長尺物の下端を取り囲む空間から外部へ連通する空隙が形成されるように、座ぐり部２８が設けられており、この空隙によって長尺物受け部材２７の内方から外部へ雨水などが流出し得るようになっている。
【００４８】
上述した台座４、構造物本体５、柱部材６、笠部材７、標記部材８、及び長尺物受け部材２７は、標記用構造物の美的外観の向上を図るために、全面にわたって研磨仕上げ加工を施し、これらの各部材相互の継目部分が目立たないようにしておくことが望ましい。
【００４９】
また、基礎、台座４、構造物本体５、柱部材６、笠部材７、及び長尺物受け部材２７は、標記用構造物の耐振性の向上を図るために、建築用接着剤で強固に固着することが望ましい。
【００５０】
図１から図６に示す標記用構造物では、標記部材８の両突起部２１，２２を笠部材７及び台座４の両凹陥部１９，１４に嵌入することにより、構造物本体５の縦溝１２に挿入される標記部材８を笠部材７及び台座４に係止するので、構造物本体５に対する標記部材８の着脱を、日本建築による家屋の襖や障子と同様に行うことができる。
【００５１】
また、構造物本体５の縦溝１２に縦溝面取り部１３を形成し、標記部材８の後面に上側部材面取り部２３及び下側部材面取り部２４を形成しているので、標記部材８の着脱を行う際に、縦溝１２と標記部材８の後面とが干渉しない。
【００５２】
更に、上側凹陥部１９に対する上側突起部２１の嵌合部分、下側凹陥部１４に対する下側突起部２２の嵌合部分、及び標記部材８の後面に、保護層２５を設けているので、他の構造物などとの接触に起因した標記部材８の損傷が抑止される。
【００５３】
すなわち、標記用構造物を墓誌として建立した後に、不幸にして標記部材８に戒名を加えることになったときには、対象となる標記部材８と笠部材７との間から挿入部材２６を取り除き、字彫加工を行うべき標記部材８だけを構造物本体５から取り外して石材工場へ搬送することができるので、大掛かりな搬送作業や字彫技術者の出張を伴うことなく、標記部材８への字彫加工を迅速に且つ経済的に行える。
【００５４】
このように、図１から図６に示す標記用構造物は、標記部材８への字彫加工を迅速に且つ経済的に行えるので、石材工場の所在地や字彫技術者の勤務地から遠く離れた墓所に設置される墓誌、あるいは、標記事項の変更が予想される道標に適している。
【００５５】
これに加えて、笠部材７に長尺物挿通孔２０を穿設しているので、該長尺物挿通孔２０に塔婆や旗竿を挿通することにより、標記用構造物を塔婆立や旗竿立としても使用でき、塔婆立や旗竿立の設置に要する場所を節約することが可能になり、また、台座４に長尺物受け部材２７を設けているので、塔婆や旗竿などの長尺物挿通孔に挿通される部材の転倒を防止することができる。
【００５６】
更に、下側凹陥部１４から外方へ連なる水抜き孔１１を台座４に穿設しているので、塵埃などが下側凹陥部１４に堆積することがなく、また、長尺物受け部材２７に座ぐり部２８を設けているので、長尺受け部材２７内から外部への雨水の流出が促進され、塔婆や旗竿の下端部の腐朽を抑制することができる。
【００５７】
なお、本発明の標記用構造物は、上述した実施の形態のみに限定されるものではなく、長尺物受け部材を構造物本体に対して取り付ける構成とすること、台座及び笠部材の形状を適宜変更することによって構造物本体の前面と後面との双方に標記部材を取り付けられるような構成とすること、構造物本体を上下方向に見て湾曲した形状に形成すること、石材に替えて標記用構造物を構成する各部材に金属、セラミックス、プラスチックなどの他の材料単体、あるいはその組み合わせを適用すること、柱部材を設けない構造とすること、その他、本発明の要旨を逸脱しない範囲において変更を加え得ることは勿論である。
【００５８】
【発明の効果】
以上述べたように、本発明の標記用構造物によれば、下記のような種々の優れた効果を奏し得る。
【００５９】
（１）本発明の請求項１乃至請求項７に記載の標記用構造物のいずれにおいても、標記部材の上側突起部を笠部材の上側凹陥部に嵌入し、また、標記部材の下側突起部を台座の下側凹陥部に嵌入することにより、構造物本体の縦溝に挿入される標記部材を笠部材及び台座に係止しているので、構造物本体から標記部材だけを取り外して工場へ搬送することができ、大掛かりな搬送作業や字彫技術者の出張を伴わずに、標記部材への字彫加工を迅速に且つ経済的に行える。
【００６０】
（２）本発明の請求項１に記載の標記用構造物においては、構造物本体の縦溝に縦溝面取り部を形成しているので、標記部材の着脱を行う際の、縦溝と標記部材の後面との干渉を抑止することができる。
【００６１】
（３）本発明の請求項２に記載の標記用構造物においては、標記部材の後面に部材面取り部を構成しているので、標記部材の着脱を行う際の、縦溝と標記部材の後面との干渉を抑止することができる。
【００６２】
（４）本発明の請求項３に記載の標記用構造物においては、構造物本体の縦溝に縦溝面取り部を形成し、標記部材の後面に部材面取り部を形成しているので、標記部材の着脱を行う際の、縦溝と標記部材の後面との干渉を抑止することができる。
【００６３】
（５）本発明の請求項４に記載の標記用構造物においては、上側凹陥部に対する上側突起部の嵌合部分、下側凹陥部に対する下側突起部の嵌合部分、及び標記部材の後面に保護層を設けているので、他の構造物などとの接触に起因した標記部材の損傷を抑止することができる。
【００６４】
（６）本発明の請求項５に記載の標記用構造物においては、下側凹陥部に侵入する塵埃を、水抜き孔によって雨水などとともに台座の外方へ流出させるので、下側凹陥没部内での塵埃の堆積を防止することができる。
【００６５】
（７）本発明の請求項６に記載の標記用構造物においては、笠部材と標記部材との間に挿入部材を介在させているので、悪戯による標記部材の取り外し行為を防止することができる。
【００６６】
（８）本発明の請求項７に記載の標記用構造物においては、笠部材の長尺物挿通孔に挿通される長尺物の下端部を、長尺物受け部材によって支持し、長尺物の転倒を防止するので、標記用構造物を塔婆立や旗竿立に兼用することができる。
【図面の簡単な説明】
【図１】本発明の標記用構造物の実施の形態の一例を示す正面図である。
【図２】図１のＩＩ−ＩＩ矢視図である。
【図３】図１のＩＩＩ−ＩＩＩ矢視図である。
【図４】図１のＩＶ−ＩＶ矢視図である。
【図５】図１のＶ−Ｖ矢視図である。
【図６】図２のＶＩ−ＶＩ矢視図である。
【図７】従来の標記用構造物の一例を示す正面図である。
【図８】図７のＶＩＩＩ−ＶＩＩＩ矢視図である。
【符号の説明】
４    台座
５    構造物本体
７    笠部材
８    標記部材
１１  水抜き孔
１２  縦溝
１３  縦溝面取り部
１４  下側凹陥部
１９  上側凹陥部
２０  長尺物挿通孔
２１  上側突起部
２２  下側突起部
２３  部材面取り部
２５  保護層
２６  挿入部材
２７  長尺物受け部材
【図１】
0003950235.tif 000002
【図２】
0003950235.tif 000003
【図３】
0003950235.tif 000004
【図４】
0003950235.tif 000005
【図５】
0003950235.tif 000006
【図６】
0003950235.tif 000007
【図７】
0003950235.tif 000008
【図８】
0003950235.tif 000009